(57)【特許請求の範囲】
【請求項１】
救急移動体で搬送される救急搬送者に関する予め定められた様式の報告書の項目を設定するサーバと、
救急移動体内で使用可能であり、前記サーバと通信可能な携帯端末とを有し、
前記サーバは、
前記予め定められた様式の報告書の項目のうち、携帯端末に表示する報告書の入力項目と、その項目の前記予め定められた様式の報告書の表示順序とは異なり、前記携帯端末において優先的に表示する表示順序及びその項目の表示色とを設定し、前記携帯端末に表示する報告書の表示設定情報を作成する表示設定手段と、
前記表示設定情報を、前記携帯端末に送信する送信手段と
を有し、
前記携帯端末は、
前記報告書を表示する表示手段と、
前記表示設定情報を受信する受信手段と、
前記表示設定情報に基づいて、前記予め定められた様式の報告書とは異なる様式の報告書を、前記表示手段に表示する表示制御手段と
を有する救急搬送支援システム。
【請求項２】
前記携帯端末は、前記報告書に入力した搬送者情報を、前記サーバに送信する送信手段を有し、
前記サーバは、前記携帯端末から搬送者情報を受信し、データベースに格納する格納手段を有する
請求項１に記載の救急搬送支援システム。
【請求項３】
前記サーバは、前記サーバに接続された端末からの閲覧要求に応答し、前記携帯端末で入力された搬送者情報に基づいて、前記予め定められた様式の報告書を前記端末に出力する出力手段を有する
請求項１又は請求項２に記載の救急搬送支援システム。
【請求項４】
前記サーバは、
搬送者情報が記載される帳票の様式を設定し、帳票様式情報として記憶する帳票様式設定手段と、
前記設定された帳票様式情報に基づいて、前記携帯端末で入力された搬送者情報から前記帳票を作成する帳票作成手段と
を有する請求項１から請求項３のいずれかに記載の救急搬送支援システム。
【請求項５】
救急移動体内で使用される携帯端末と通信可能なサーバであって、
前記救急移動体で搬送される救急搬送者に関する予め定められた様式の報告書の項目のうち、前記携帯端末に表示する入力項目と、その項目の前記予め定められた様式の報告書の表示順序とは異なり、前記携帯端末において優先的に表示する表示順序及びその項目の表示色とを設定し、前記携帯端末に表示する報告書の表示設定情報を作成する表示設定手段と、
前記表示設定情報を、前記携帯端末に送信する送信手段と
を有するサーバ。
【請求項６】
端末からの閲覧要求に応答し、前記携帯端末で入力された搬送者情報に基づいて、前記予め定められた様式の報告書を前記端末に出力する出力手段を有する
請求項５に記載のサーバ。
【請求項７】
前記携帯端末で入力された搬送者情報が記載される帳票の様式を設定し、帳票様式情報として記憶する帳票様式設定手段と、
前記設定された帳票様式情報に基づいて、前記搬送者情報から前記帳票を作成する帳票作成手段と
を有する請求項５又は請求項６に記載のサーバ。
【請求項８】
救急移動体で搬送される救急搬送者に関する予め定められた様式の報告書の項目のうち、救急移動体内で使用される携帯端末に表示する入力項目と、その項目の前記予め定められた様式の報告書の表示順序とは異なり、前記携帯端末において優先的に表示する表示順序及びその項目の表示色とを設定し、
設定された情報に基づいて、前記携帯端末に表示する報告書の表示設定情報を作成し、
前記表示設定情報を、前記携帯端末に送信する
救急搬送支援方法。
【請求項９】
端末からの閲覧要求に応答し、前記携帯端末で入力された搬送者情報に基づいて、前記予め定められた様式の報告書を前記端末に出力する
請求項８に記載の救急搬送支援方法。
【請求項１０】
前記携帯端末で入力された搬送者情報が記載される帳票の様式を設定し、帳票様式情報として記憶し、
前記帳票様式情報に基づいて、前記携帯端末で入力された搬送者情報から前記帳票を作成する
請求項８又は請求項９に記載の救急搬送支援方法。
【請求項１１】
救急移動体で搬送される救急搬送者に関する予め定められた様式の報告書の項目のうち、救急移動体内で使用される携帯端末に表示する入力項目と、その項目の前記予め定められた様式の報告書の表示順序とは異なり、前記携帯端末において優先的に表示する表示順序及びその項目の表示色とを設定する処理と、
前記携帯端末に表示する報告書の表示設定情報を作成する処理と、
前記表示設定情報を、前記携帯端末に送信する処理と
をコンピュータに実行させるプログラム。
【請求項１２】
端末からの閲覧要求に応答し、前記携帯端末で入力された搬送者情報に基づいて、前記予め定められた様式の報告書を前記端末に出力する処理を
コンピュータに実行させる請求項１１に記載のプログラム。
【請求項１３】
前記携帯端末で入力された搬送者情報が記載される帳票の様式を設定し、帳票様式情報として記憶する処理と、
前記帳票様式情報に基づいて、前記携帯端末で入力された搬送者情報から前記帳票を作成する処理と
をコンピュータに実行させる請求項１１又は請求項１２に記載のプログラム。
【発明の詳細な説明】
【技術分野】
【０００１】
本発明は、救急搬送支援システム、サーバ、救急搬送支援方法及びプログラムに関する。
【背景技術】
【０００２】
急病人やケガ人など、救急車で搬送されるべき傷病者が発生した場合、消防指令センターに連絡が入り、消防指令センターは、傷病者のもとへ救急隊員を派遣する。そして、傷病者のもとへ到着した救急隊員は、傷病者に応急処置を施すと共に、救急車によって傷病者を病院へ搬送する。その際、救急隊員は、例えば、出場隊員の氏名及び所属等の情報、出動時刻、現着時刻、帰署時刻等の時刻情報、覚知情報、発生場所情報等の発生情報、搬送者の氏名、住所、年齢、呼吸回数、脈拍回数、血圧、心電図データなどのバイタルデータ、傷病者の頭部、頸部、胸部、腹部などの観察結果、酸素投与、気道確保、薬剤投与などの処置情報等の搬送者に関する搬送者情報を、報告書に記録する。その報告書には、例えば、救急搬送確認書と呼ばれるものがあり、搬送先の医療機関で搬送者の処置のために利用され、更に、救急搬送業務や医療機関の報告のため利用される。
【０００３】
また、近年の電子化に伴い、報告書の搬送者情報の記録も、紙媒体への記入からタブレット等の電子携帯端末への入力が多くなっている。
【発明の概要】
【発明が解決しようとする課題】
【０００４】
ところで、救急搬送確認書等の報告書は、後日の参照のため、様式が定められている。
【０００５】
しかし、救急隊員は、搬送者の搬送時に多種の対応を取らなければならず、限られた時間内で優先して入力しなければならない情報を、予め定められた様式の多くの項目から探して入力するのは負担が大きい。
【０００６】
そこで、本発明は救急隊が所持する携帯端末に表示される報告書の入力の操作性を向上することができる救急搬送支援システム、サーバ、救急搬送支援方法及びプログラムを提供することにある。
【課題を解決するための手段】
【０００７】
本発明は、救急移動体で搬送される救急搬送者に関する予め定められた様式の報告書の項目を設定するサーバと、救急移動体内で使用可能であり、前記サーバと通信可能な携帯端末とを有し、前記サーバは、前記報告書の項目のうち、携帯端末に表示する報告書の入力項目とその表示順序とを設定し、前記携帯端末に表示する報告書の表示設定情報を作成する表示設定手段と、前記表示設定情報を、前記携帯端末に送信する送信手段とを有し、前記携帯端末は、前記報告書を表示する表示手段と、前記表示設定情報を受信する受信手段と、前記表示設定情報に基づいて、前記報告書を、前記表示手段に表示する表示制御手段とを有する救急搬送支援システムである。
【０００８】
本発明は、救急移動体内で使用される携帯端末と通信可能なサーバであって、前記救急移動体で搬送される救急搬送者に関する予め定められた様式の報告書の項目のうち、前記携帯端末に表示する入力項目とその表示順序とを設定し、前記携帯端末に表示する報告書の表示設定情報を作成する表示設定手段と、前記表示設定情報を、前記携帯端末に送信する送信手段とを有するサーバである。
【０００９】
本発明は、救急移動体で搬送される救急搬送者に関する予め定められた様式の報告書の項目のうち、救急移動体内で使用される携帯端末に表示する入力項目とその表示順序とを設定し、前記携帯端末に表示する報告書の表示設定情報を作成し、前記表示設定情報を、前記携帯端末に送信する救急搬送支援方法である。
【００１０】
本発明は、救急移動体で搬送される救急搬送者に関する予め定められた様式の報告書の項目のうち、救急移動体内で使用される携帯端末に表示する入力項目とその表示順序とを設定する処理と、前記携帯端末に表示する報告書の表示設定情報を作成する処理と、前記表示設定情報を、前記携帯端末に送信する処理とをコンピュータに実行させるプログラムである。
【発明の効果】
【００１１】
本発明は救急隊が所持する携帯端末における搬送者情報の入力の操作性を向上することができる。
【図面の簡単な説明】
【００１２】
【図１】図１は本発明の救急搬送支援システムの概要を示すブロック図である。
【図２】図２は本発明の救急搬送支援システムの他の概要を示すブロック図である。
【図３】図３は本発明の実施の形態を示すブロック図である。
【図４】図４は設定情報データベースの一例を示す図である。
【図５】図５は、携帯端末２００に表示する救急搬送確認書入力画面の入力項目、および、帳票形式の救急搬送確認書の項目の候補となる項目の選択画面の一例を示す図である。
【図６】図６は携帯端末２００に表示する救急搬送確認書入力画面の入力項目の選択及び表示順序を設定する設定画面の一例を示す図である。
【図７】図７は帳票様式の設定画面の一例を示す図である。
【図８】図８は携帯端末２００に表示される救急搬送確認書入力画面を示す図である。
【図９】図９は携帯端末２００に表示される救急搬送確認書入力画面を示す図である。
【図１０】図１０は救急搬送確認書(医療機関用)の帳票の一例を示す図である。
【図１１】図１１は救急活動記録票（救急隊用）兼出場報告書の帳票の一例を示す図である。
【図１２】図１２はプログラムで動作するハードウェアの構成図である。
【発明を実施するための形態】
【００１３】
本発明の概要を説明する。図１は本発明の概要を示すブロック図である。
【００１４】
救急業務の高度化に伴い、救急隊員は、搬送者の搬送時に、搬送者の容態や、日時の情報等の搬送者情報を、タブレットのような携帯端末に表示された報告書に入力することを要求されている。
【００１５】
しかし、搬送者の搬送時には、多種の対応を取らなければならず、多種の項目からなる報告書の項目から、優先的に入力しなければならない項目を探して入力するのは手間である。
【００１６】
そこで、本発明は、この点に着目し、救急隊が所持する携帯端末に表示される報告書への搬送者情報の入力の操作性を向上することを目的とし、発明されたものである。
【００１７】
具体的には、本発明は、救急移動体で搬送される救急搬送者に関する予め定められた様式の報告書の項目を設定するサーバ１と、救急移動体内で使用可能であり、サーバ１と通信可能な携帯端末２とを有する救急搬送支援システムである。そして、サーバ１は、報告書の項目のうち、携帯端末２に表示する報告書の入力項目とその表示順序とを設定し、携帯端末２１に表示する報告書の表示設定情報を作成する表示設定部１０と、表示設定情報を、携帯端末２に送信する送受信部１１とを有する。携帯端末２は、報告書を表示する表示部２０と、表示設定情報を受信する送受信部２１と、表示設定情報に基づいて、報告書を表示部２０に表示する表示制御部２２とを有する。
【００１８】
サーバ１は、例えば、救急隊を統括する部署に設置され、携帯端末２と通信可能な通信網に接続されている。
【００１９】
サーバ１の表示設定部１０は、予め様式が定められた報告書の搬送者情報の項目のうち、携帯端末２に表示する報告書の入力項目と表示順序とを設定する機能を有する。ここで、搬送者情報とは、例えば、出場隊員の氏名及び所属等の情報、出動時刻、現着時刻、帰署時刻等の時刻情報、覚知情報、発生場所情報等の発生情報、搬送者の氏名、住所、年齢、呼吸回数、脈拍回数、血圧、心電図データなどのバイタルデータ、傷病者の頭部、頸部、胸部、腹部などの観察結果、酸素投与、気道確保、薬剤投与などの処置情報等である。表示設定部１０は、複数の搬送者情報の項目のうち、携帯端末２に表示する報告書の項目を選択し、更に、優先的に表示する項目の表示順序を設定し、携帯端末２用の報告書の表示設定情報を作成する。尚、各項目の表示に際し、表示順序だけでなく、その重要度に応じて表示する項目の色を変えて表示するように、報告書の表示設定情報を作成してもよい。更に、重要な項目について未入力の場合には、警告を表示するように表示設定情報を作成してもよい。
【００２０】
サーバ１の送受信部１１は、携帯端末２から要求に応答して表示設定情報を送信する。
【００２１】
救急移動体内で使用される携帯端末２は、例えば、タブレット端末、ノートパソコン等である。尚、救急移動体は、代表的な例として救急車があるが、これに限られず、例えば、救急用ヘリコプター等でも良い。
【００２２】
携帯端末２の表示部２０は、例えば、ディスプレイであり、タッチパネルを搭載したものが好ましい。このタッチパネルにより、表示されている項目をタッチすることにより、その項目の情報を入力できるようになっていることが好ましい。
【００２３】
送受信部２１は、通信網に接続し、サーバ１からの表示設定情報を受信する。
【００２４】
表示制御部２２は、表示設定情報に基づいて、報告書を、表示部２０に表示するものである。報告書が一画面に収まらない場合などは、項目の表示順序に従って複数画面にわたって表示する。
【００２５】
このように、構成された救急搬送支援システムによれば、多種の項目からなる報告書の項目のうち、優先的に入力しなければならない搬送者情報の項目が優先的に表示されるので、救急隊員の報告書への入力の操作性を向上することができる。
【００２６】
また、地域毎に定まっている救急隊と医療機関との間での報告書の様式（フォーマット）に基づいて入力項目と入力順を設定でき、救急隊員の搬送者情報の入力時の煩わしさを解消し、救急隊が所持する携帯端末における搬送者情報の入力の操作性を向上することができる。
【００２７】
更に、サーバ１は、サーバ１に接続された端末（例えば、救急隊を統括する部署に設置され端末や、医療機関に設置された端末）からの閲覧要求に応答し、予め定められた様式で、携帯端末２で入力された搬送者情報が記入された報告書を作成し、端末に出力する出力部を有しても良い。
【００２８】
このような構成にすれば、搬送者の治療にあたる病院等の医療機関では、日頃から慣れている様式の報告書で搬送者情報を検分し、医療行為を行うことができ、救急隊が搬送する搬送者を受け入れる病院等の医療機関等との連携もスムーズに行うことができる。
【００２９】
次に、更なる本発明の態様について説明する。
【００３０】
上記の構成に加え、サーバ１は、搬送者情報が記載される帳票の様式を設定し、帳票様式情報として記憶する帳票様式設定部１２と、設定された帳票様式情報に基づいて、携帯端末で入力された搬送者情報から帳票を作成する帳票作成部１３とを有する。
【００３１】
帳票様式設定部１２は、上述した報告書とは異なる帳票、例えば、後日、医療機関が報告するための帳票や、医療機関及び救急隊側が共通して使用する帳票等の様式（フォーマット）を設定するものである。ここで、様式とは、搬送者情報をどのように表示するかの様式であり、例えば、搬送者情報が画面で表示される際の帳票の様式や、紙媒体への印刷時の帳票の様式等である。
【００３２】
帳票作成部１３は、設定された様式（フォーマット）に基づいて、搬送者情報から帳票を作成するものである。帳票作成部１３によって作成された帳票は、医療機関に設置されている医療機関端末３によって閲覧、印刷するだけでなく、携帯端末２でも閲覧できる。
【００３３】
このように構成された救急搬送支援システムによれば、携帯端末２で入力された搬送者情報を、各機関が同一の様式（フォーマット）の帳票の形式で閲覧できるため、救急隊と医師との問合せ・確認時に搬送者の情報を正確に伝達することができ、救急搬送業務を効率化することができる。
【００３４】
次に、具体的な実施の形態を説明する。
【００３５】
尚、本実施の形態では、報告書が救急搬送確認書（票）である場合を例にして説明する。
【００３６】
図３は本発明の実施の形態のブロック図である。
【００３７】
本実施の形態における救急搬送支援システムは、救急隊を統括する消防指令センター１００と、救急車において救急隊員が使用する携帯端末２００と、医療機関に設置される医療機関端末３００とから構成される。
【００３８】
消防指令センター１００は、消防サーバ１０１と、ゲートウェイサーバ１０２と、消防端末１０３と、医療機関サーバ１０４と、設定情報データベース１０５と、搬送者情報データベース１０６とを備える。
【００３９】
消防サーバ１０１は、表示設定部１１１と、送受信部１１２と、帳票様式設定部１１３とを備える。消防サーバ１０１は消防端末１０３と接続されている。そして、表示設定部１１１は、消防端末１０３から操作により、設定情報データベース１０５に格納されている項目データから携帯端末２００に表示する救急搬送確認書入力画面の入力項目を選択し、その入力項目の携帯端末２００における表示順序を設定する機能を有する。また、帳票様式設定部１１３は、携帯端末２００で入力された搬送者情報に関する救急搬送確認書（票）や、他の帳票の様式（フォーマット）を設定するものである。尚、帳票には、検証用の検証票や、救命処置録、救急活動記録票等の各種帳票がある。それぞれの帳票の様式（フォーマット）は、医療機関が指定する場合や、医療機関及び救急隊側が指定する場合もあり、それぞれが指定する複数の様式（フォーマット）を設定しても良い。
【００４０】
設定情報データベース１０５には、搬送者情報の項目毎に１レコードを形成した設定情報データベースが格納されている。図４は、設定情報データベースの一例を示すものであり、例えば、出場場所、出場番号、事案番号、出場車輛、署所、搬送者の氏名、住所、年齢、呼吸回数、脈拍回数、血圧、心電図データなどのバイタルデータ、出場隊員の氏名及び所属等の情報、出動時刻、現時刻、帰署時刻等の時刻情報、覚知情報、発生場所情報等の発生情報、傷病者の頭部、頸部、胸部、腹部などの観察結果、酸素投与、気道確保、薬剤投与などの処置情報等の設定項目名毎に、項目番号、表示項目名（携帯端末２００に表示する名称）、ボタン色、必須の有無、救急搬送確認書入力画面の入力項目や、正式な帳票形式の救急搬送確認書の項目の候補となる項目であるかの有無、帳票形式の救急搬送確認書の項目であるかの有無、携帯端末２００に表示する救急搬送確認書入力画面の入力項目であるかの有無、携帯端末２００に表示する救急搬送確認書入力画面における表示順序、グループ名などの情報が１レコードで形成されている。
【００４１】
ゲートウェイサーバ１０２は、医療機関サーバ１０４と携帯端末２００との間で、搬送者情報を中継すると共に、後述するように搬送者情報の出力様式を変換するものである。そして、ゲートウェイサーバ１０２は、帳票作成部１２１と、送受信部１２２とを備えている。
【００４２】
帳票作成部１２１は、消防サーバ１０１の帳票様式設定部１１３により設定された帳票の様式（フォーマット）に基づいて、携帯端末２００から送信されてくる搬送者情報により帳票を作成し、医療関係サーバ１０４に送信するものである。例としては、設定された様式（フォーマット）の項目に、該当する搬送者情報を挿入していき、ひとつの出力ファイル（例えば、ＰＤＦファイル）として帳票を作成する。
【００４３】
医療関係サーバ１０４は、搬送者情報データベース１０６に接続されており、ゲートウェイサーバ１０２から送信されてくる帳票（搬送者情報）を、搬送者情報データベース１０６に格納する。そして、消防端末１０３、携帯端末２００及び医療機関端末３００からの帳票の閲覧要求に応答して、要求のあった消防端末１０３、携帯端末２００及び医療機関端末３００に帳票を送信する。
【００４４】
携帯端末２００は、救急移動体内で使用されるタブレット端末、ノートパソコン等である。尚、救急移動体は、代表的なものとして救急車があるが、これに限られず、例えば、救急用ヘリコプター等でも良い。そして、携帯端末２００は、送受信部２０１と、表示部２０３と、表示制御部２０２とを備える。送受信部２０１は、通信網４００に接続し、ゲートウェイサーバ１０２と情報の送受信を行う。表示部２０３は、例えば、ディスプレイであり、入力部を兼ねたタッチパネルを搭載したものが好ましい。表示制御部２０２は、表示設定情報に基づいて、救急搬送確認書入力画面を表示部２０３に表示するものである。
【００４５】
医療機関端末３００は、医療機関側に設置され、必要に応じて医療関係サーバ１０４に、通信網４０１を介してアクセスし、救急搬送確認書（票）や、他の帳票の閲覧を要求し、それを表示又は印刷するものである。
【００４６】
次に、上述の構成における救急搬送支援システムの動作を説明する。
【００４７】
まず、携帯端末２００に表示する救急搬送確認書入力画面の入力項目の設定動作から説明する。
【００４８】
ユーザは、消防端末１０３から、システムのメニューを起動し、携帯端末２００に表示する救急搬送確認書入力画面の入力項目の選択を行う。表示設定部１１１では、ユーザの要求に応答して、設定情報データベース１０５から設定情報データベースを読出し、携帯端末２００に表示する救急搬送確認書入力画面の入力項目を選択する画面を表示する。
【００４９】
図５は、携帯端末２００に表示する救急搬送確認書入力画面の入力項目や、正式な帳票形式の救急搬送確認書の項目の候補となる項目の選択画面の一例である。ユーザは、選択画面を見ながら、救急搬送確認書入力画面の入力項目や、正式な帳票形式の救急搬送確認書の項目の候補となる項目を選択する。項目の選択は、その項目に対応する選択チェックボックスをアクティブにすることにより行われる。尚、ここで、選択された項目は、携帯端末２００に表示する救急搬送確認書入力画面の入力項目や、正式な帳票形式の救急搬送確認書（票）の項目となるのではなく、あくまでも携帯端末２００に表示する救急搬送確認書入力画面の入力項目や、正式な帳票形式の救急搬送確認書の項目の候補となる項目である。候補となる項目の選択が終わると、登録ボタンを押し、項目の選択処理を終了させる。選択された項目は、設定情報データベースの候補項目のフィールドに有効のフラグが立てられる。
【００５０】
続いて、ユーザは、携帯端末２００に表示する救急搬送確認書入力画面の入力項目の表示順序の設定処理を起動する。表示設定部１１１では、ユーザの要求に応答して、設定情報データベース１０５から設定情報データベースを読み出し、救急搬送確認書入力画面の入力項目と、その項目の表示順序の設定する画面を表示する。図６は携帯端末２００に表示する救急搬送確認書の入力項目の選択及び表示順序を設定する設定画面の一例である。
【００５１】
ユーザは、設定画面を見ながら、入力項目の候補となる項目から、携帯端末２００に表示する救急搬送確認書入力画面の入力項目を選択する。入力項目の選択は確定の欄をアクティブにすることにより行われ、その入力項目の表示順序の入力を行う。その際、携帯端末２００での視認性を考慮し、表示される項目の色も指定することができる。例えば、最優先で入力しなければならない項目は、赤色で表示するなどである。また、入力済みの項目は赤色を示し、未入力の項目は、黄色や橙色などにしてもよい。更に、携帯端末２００で実際に表示される項目名を、正式な項目名ではなく、短縮させた項目名にすることもできる。これらの場合は、設定画面において、それらの色や項目名を入力する。設定が終わると、登録のボタンを押し、設定処理を終了させる。そして、携帯端末２００に表示する救急搬送確認書入力画面の入力項目として選択された項目は、設定情報データベースの入力項目のフィールドに有効のフラグが立てられ、設定された表示順序や、色、項目名は、設定情報データベースの表示順序や、色、項目名の各フィールドに記録される。
【００５２】
上述した動作により、携帯端末２００に表示する救急搬送確認書入力画面の入力項目及びその表示順序の設定処理が終了する。
【００５３】
次に、帳票様式設定部１１３による帳票の様式の設定動作について説明する。
【００５４】
ユーザは、消防端末１０３から、システムのメニューを起動し、搬送者情報を報告又は利用するための帳票の様式（救急搬送確認書（票）や、他の検証用の検証票や、救命処置録、救急活動記録票等の様式）を設定する。図７は帳票様式の設定画面の一例を示す図である。
【００５５】
消防端末１０３の画面には、図７の帳票様式の設定画面が表示される。ここで、画面右側には、帳票に出力される項目の候補となる項目の一覧が表示される。これら一覧表示される候補となる項目は、設定情報データベースの候補項目のフィールドに有効のフラグが立てられている項目である。
【００５６】
続いて、デザインボタンを押下すると、帳票のデザイン画面に切り替わる。帳票のデザイン画面では、左側に帳票のテンプレートが表示され、そのテンプレートに、右側に表示されている「＄マーク」項目を埋め込んでいき、帳票様式設定データを定義する。定義された帳票様式設定データは、設定情報データベース１０５に格納される。
【００５７】
次に、携帯端末２００の動作について説明する。
【００５８】
出動の要請があると、救急隊員は携帯端末２００を持ち、救急車等に乗車して出場する。救急隊員が携帯端末２００を起動すると、携帯端末２００の送受信部２０１は通信網４００を介して消防サーバ１０１に接続し、表示設定情報を受信する。続いて、表示制御部２０２は、受信した表示設定情報に基づいて、表示部２０３に救急搬送確認書を表示する。ここで、表示される救急搬送確認書は、救急隊と医療機関等との間で予め法令等で定められた様式ではなく、救急隊員の入力の便宜を考えた表示設定情報に基づく救急搬送確認書入力画面である。この携帯端末２００で表示される救急搬送確認書入力画面の一例を図８、９に示す。
【００５９】
図８、９に示されるように、救急隊員が優先的に入力しなければならない、入力項目が優先的に表示され、また、搬送者情報が入力済みの項目の表示色は他の色と異なっており、入力済みであるのか、未入力であるのかが分かるように表示されている。
【００６０】
救急隊員による救急搬送確認書入力画面への搬送者情報の入力後、送受信部２０１により、搬送者情報がゲートウェイサーバ１０２に送信される。
【００６１】
ゲートウェイサーバ１０２の送受信部１２２が搬送者情報を受信すると、帳票作成部１２１は、消防サーバ１０１にアクセスし、設定情報データベース１０５に格納されている帳票様式設定データを要求する。消防サーバ１０１は、設定情報データベース１０５に格納されている帳票様式設定データを読み出し、送受信部１１２を介して、帳票様式設定データをゲートウェイサーバ１０２に送信する。
【００６２】
帳票作成部１２１は、帳票様式設定データに基づいて、受信した搬送者情報により帳票（救急搬送確認書（票）や、他の検証用の検証票や、救命処置録、救急活動記録票等）を作成し、医療関係サーバ１０４に送信する。帳票作成部１２１が作成する帳票の一例を、図１０及び図１１に示す。図１０は救急搬送確認書（票）(医療機関用)の帳票の一例であり、図１１は救急活動記録票（救急隊用）兼出場報告書の帳票の一例である。帳票作成部１２１は、受信した搬送者情報を、各帳票の該当する項目に挿入することにより、ひとつの出力ファイル（例えば、ＰＤＦファイル）として帳票を作成する。
【００６３】
医療関係サーバ１０４は、ゲートウェイサーバ１０２から送信されてくる帳票を、搬送者情報データベース１０６に格納する。そして、消防端末１０３、携帯端末２００及び医療機関端末３００からの帳票の閲覧要求に応答して、要求のあった消防端末１０３、携帯端末２００及び医療機関端末３００に帳票を送信する。
【００６４】
消防端末１０３、携帯端末２００及び医療機関端末３００では、送信されていきた帳票を、ディスプレイに表示、又は、紙に印刷して確認することができる。
【００６５】
本実施の形態によれば、地域毎に定まっている救急隊と医療機関等の間で予め定められている報告書の様式にかかわらず、救急隊による搬送者情報の入力の操作性を考慮した入力項目と表示順序を設定でき、結果として、救急隊員の搬送者情報の入力操作の負担を軽減することができる。
【００６６】
更に、携帯端末から搬送者情報の受信時に設定内容に基づき所定の様式の帳票を作成し、帳票をデータベースに保存するので、携帯端末、消防端末、医療機関端末で同一の様式の帳票が閲覧できるため、救急隊と医師との問合せ・確認時に、搬送者の情報を正確に伝達することができ、救急搬送業務を効率化することができる。
【００６７】
尚、上述した実施の形態では、各部をハードウェアで構成したが、上述した動作の処理を情報処理装置（ＣＰＵ）に行わせるプログラムによっても構成できる。
【００６８】
例えば、消防サーバ１０１は、図１２に示す如く、メモリ５００と、ＣＰＵ５０１と、出力部５０２と、入力部５０３と、通信部５０４とから構成されるコンピュータシステムによって実現可能である。この場合、メモリ５００には、上述した表示設定部１１１及び帳票様式設定部１１３に対応する処理を行うプログラムが格納されている。そして、ＣＰＵ５０１がメモリ５００に格納されているプログラムを実行することで、表示設定部１１１及び帳票様式設定部１１３の機能が実現される。情報の送受信は、入力部５０３や、通信部５０４を介して入力可能であり、通信部５０４を介して外部の端末に送信可能である。ゲートウェイサーバ１０２も同様である。
【００６９】
以上好ましい実施の形態をあげて本発明を説明したが、本発明は必ずしも上記実施の形態に限定されるものではなく、その技術的思想の範囲内において様々に変形し実施することが出来る。
【符号の説明】
【００７０】
１        サーバ
２        携帯端末
１０      表示設定部
１１      送受信部
１２      帳票様式設定部
１３      帳票作成部
２０      表示部
２１      送受信部
２２      表示制御部
１００    消防指令センター
１０１    消防サーバ
１０２    ゲートウェイサーバ
１０３    消防端末
１０４    医療機関サーバ
１０５    設定情報データベース
１０６    搬送者情報データベース
１１１    表示設定部
１１２    送受信部
１１３    帳票様式設定部
１２１    帳票作成部
１２２    送受信部
２００    携帯端末
２０１    送受信部
２０２    表示制御部
２０３    表示部
３００    医療機関端末
４００    通信網
４０１    通信網
５００    メモリ
５０１    ＣＰＵ
５０２    出力部
５０３    入力部
５０４    通信部
【要約】      （修正有）【課題】救急隊が所持する携帯端末に表示される報告書の入力の操作性を向上する救急搬送支援システムを提供する。【解決手段】救急移動体で搬送される救急搬送者に関する予め定められた様式の報告書の項目を設定するサーバ１と、救急移動体内で使用可能であり、サーバ１と通信可能な携帯端末２とを有する。サーバ１は、報告書の項目のうち、携帯端末２に表示する報告書の入力項目とその表示順序とを設定し、携帯端末に表示する報告書の表示設定情報を作成する表示設定手段と、表示設定情報を、携帯端末２に送信する送信手段とを有する。携帯端末２は、報告書を表示する表示手段と、表示設定情報を受信する受信手段と、表示設定情報に基づいて、報告書を、表示手段に表示する表示制御手段とを有する救急搬送支援システムである。【選択図】図１【図１】
0005928762.tif 000002
【図２】
0005928762.tif 000003
【図４】
0005928762.tif 000004
【図５】
0005928762.tif 000005
【図６】
0005928762.tif 000006
【図１０】
0005928762.tif 000007
【図１１】
0005928762.tif 000008
【図１２】
0005928762.tif 000009
【図３】
0005928762.tif 000010
【図７】
0005928762.tif 000011
【図８】
0005928762.tif 000012
【図９】
0005928762.tif 000013